(57)【特許請求の範囲】
【請求項１】
各種画像を表示する表示装置に接続される表示制御装置であって、
前記表示装置を駆動させる各種同期信号を生成するのに必要なクロック信号および画像信号を前記表示装置へ供給する画像制御手段と、
前記表示装置と当該表示制御装置とを有する画像表示制御装置が電源投入により起動されてから前記表示装置に各種画像が表示されるまでの間、前記画像制御手段から前記表示装置に出力されたクロック信号自体の周波数を電圧に変換し、変換した電圧が所定の閾値以上か否かを判定する監視手段と、
前記監視手段の監視結果に基づいて、前記変換した電圧が所定の閾値以上でない場合に、前記表示装置への前記クロック信号の供給を停止して画像表示を行わせない一方、前記変換した電圧が所定の閾値以上である場合に、前記表示装置へのクロック信号の供給を行わせる供給制御手段と、
を備えたことを特徴とする表示制御装置。
【請求項２】
前記表示装置は、液晶表示装置であることを特徴とする請求項１に記載の表示制御装置。
【請求項３】
各種画像を表示する表示装置に接続される表示制御装置に適した表示制御方法であって、
前記表示装置を駆動させる各種同期信号を生成するのに必要なクロック信号および画像信号を前記表示装置へ供給する画像制御工程と、
前記表示装置と当該表示制御装置とを有する画像表示制御装置が電源投入により起動されてから前記表示装置に各種画像が表示されるまでの間、前記画像制御工程から前記表示装置に出力されたクロック信号自体の周波数を電圧に変換し、変換した電圧が所定の閾値以上か否かを判定する監視工程と、
前記監視工程の監視結果に基づいて、前記変換した電圧が所定の閾値以上でない場合に、前記表示装置への前記クロック信号の供給を停止して画像表示を行わせない一方、前記変換した電圧が所定の閾値以上である場合に、前記表示装置へのクロック信号の供給を行わせる供給制御工程と、
を含むことを特徴とする表示制御方法。
【請求項４】
前記表示装置は、液晶表示装置であることを特徴とする請求項３に記載の表示制御方法。
【発明の詳細な説明】
【技術分野】
【０００１】
本発明は、ＬＣＤ（Liquid  Crystal  Display：液晶ディスプレイ）の表示制御に用いられる表示制御装置および表示制御方法に関するものであり、特に、クロック信号の不安定に伴う画面乱れを防止することができる表示制御装置および表示制御方法に関するものである。
【背景技術】
【０００２】
近年では、情報処理化が進み、ワードプロセッサやパーソナルコンピュータ等のコンピュータ装置がオフィスや家庭に浸透しており、高性能化、高機能化、小型化が進んでいる。また、コンピュータ装置に接続される表示装置においても、高精細化とともに薄型・軽量なものが要請されてきた。
【０００３】
かかる要請に応えるものとして、近時では、従来のＣＲＴ（Cathode  Ray  Tube）に代わって、ＬＣＤが急速に普及している。
【０００４】
第３図は、上述したＬＣＤを用いた従来の液晶表示制御装置の構成を示すブロック図である。同図において、グラフィックコントローラ１０は、ＬＣＤ２０へ画像信号Ｓｇおよびクロック信号Ｓｃを供給することにより、ＬＣＤ２０を駆動制御する。クロック信号Ｓｃは、ＬＣＤ２０で画像信号Ｓｇに応じた画像を表示するための基準タイミングを生成する信号である。このクロック信号Ｓｃの定格の周波数は、２０ＭＨｚ〜６８ＭＨｚとされている。
【０００５】
上記構成において、グラフィックコントローラ１０からクロック信号Ｓｃおよび画像信号ＳｇがＬＣＤ２０へ供給されると、ＬＣＤ２０では、クロック信号Ｓｃに対応する基準タイミングで、画像信号Ｓｇに対応する画像を表示する。
【０００６】
ところで、従来の液晶表示制御装置では、図４に示したように、電源を投入した時刻ｔ０から時刻ｔ１までの間（２００ｍｓｅｃ）で、クロック信号ＳＣの周波数が、定格のしきい値周波数ｆｔｈ（＝２０ＭＨｚ）以下で不安定となる場合があった。
【０００７】
このような場合、ＬＣＤ２０側では、時刻ｔ０〜ｔ１までの間に、基準タイミングを得ることができず、画面乱れが発生する。この画面乱れについては、ユーザからのクレームにつながるため、何らかの対応策が望まれている。
【０００８】
【特許文献１】特開２００２−２９７１０８号公報
【０００９】
本発明は、上記に鑑みてなされたもので、クロック信号の不安定に伴う画面乱れを防止することができる表示制御装置および表示制御方法を提供することを目的としている。
【発明の開示】
【００１０】
上記目的を達成するために、本発明は、各種画像を表示する表示装置に接続される表示制御装置であって、前記表示装置を駆動させる各種同期信号を生成するのに必要なクロック信号および画像信号を前記表示装置へ供給する画像制御手段と、前記表示装置と当該表示制御装置とを有する画像表示制御装置が電源投入により起動されてから前記表示装置に各種画像が表示されるまでの間、前記画像制御手段から前記表示装置に出力されたクロック信号自体の周波数を電圧に変換し、変換した電圧が所定の閾値以上か否かを判定する監視手段と、前記監視手段の監視結果に基づいて、前記変換した電圧が所定の閾値以上でない場合に、前記表示装置への前記クロック信号の供給を停止して画像表示を行わせない一方、前記変換した電圧が所定の閾値以上である場合に、前記表示装置へのクロック信号の供給を行わせる供給制御手段と、を備えたことを特徴とする。
【００１１】
また、本発明は、各種画像を表示する表示装置に接続される表示制御装置に適した表示制御方法であって、前記表示装置を駆動させる各種同期信号を生成するのに必要なクロック信号および画像信号を前記表示装置へ供給する画像制御工程と、前記表示装置と当該表示制御装置とを有する画像表示制御装置が電源投入により起動されてから前記表示装置に各種画像が表示されるまでの間、前記画像制御工程から前記表示装置に出力されたクロック信号自体の周波数を電圧に変換し、変換した電圧が所定の閾値以上か否かを判定する監視工程と、前記監視工程の監視結果に基づいて、前記変換した電圧が所定の閾値以上でない場合に、前記表示装置への前記クロック信号の供給を停止して画像表示を行わせない一方、前記変換した電圧が所定の閾値以上である場合に、前記表示装置へのクロック信号の供給を行わせる供給制御工程と、を含むことを特徴とする。
【００１２】
かかる発明によれば、所定のパラメータとしきい値とを比較することにより、表示装置
へ供給されるクロック信号の安定度を監視し、クロック信号が不安定状態にある場合、表
示装置へのクロック信号の供給を停止させることとしたので、クロック信号の不安定に伴
う画面乱れを防止することができる。
【発明を実施するための最良の形態】
【００１３】
以下、図面を参照して本発明にかかる一実施の形態について詳細に説明する。第１図は、本発明にかかる一実施の形態の構成を示すブロック図である。この図において、第３図の各部に対応する部分には同一の符号を付ける。
【００１４】
第１図においては、スイッチ部３０、周波数／電圧変換部４０および比較器５０が新たに設けられている。
【００１５】
スイッチ部３０は、グラフィックコントローラ１０とＬＣＤ２０との間に設けられており、後述する比較器５０からのスイッチ制御信号Ｓｓにより、スイッチング制御される。具体的には、スイッチ制御信号Ｓｓが１である場合、スイッチ部３０は、オンとされ、グラフィックコントローラ１０からのクロック信号ＳｃをＬＣＤ２０へ供給する。
【００１６】
一方、スイッチ制御信号Ｓｓが０である場合、スイッチ部３０は、オフとされ、グラフィックコントローラ１０からのクロック信号ＳｃをＬＣＤ２０へ供給しない。
【００１７】
周波数／電圧変換部４０は、第２図に示した変換特性により、グラフィックコントローラ１０からのクロック信号Ｓｃの周波数を電圧Ｖ０に変換する。比較器５０は、周波数／電圧変換部４０からの電圧Ｖ０と、予め設定されたしきい値電圧Ｖｔｈとを比較し、比較結果に応じたスイッチ制御信号ＳS（０または１）をスイッチ部３０へ出力する。
【００１８】
具体的には、比較器５０は、電圧Ｖ０がしきい値電圧Ｖｔｈ未満である場合、スイッチ制御信号Ｓｓ（＝０）をスイッチ部３０へ出力する。一方、電圧Ｖ０がしきい値電圧Ｖｔｈ以上である場合、比較器５０は、スイッチ制御信号Ｓｓ（＝１）をスイッチ部３０へ出力する。
【００１９】
ここで、しきい値電圧Ｖｔｈは、第２図に示したしきい値周波数ｆｔｈ、すなわち、第４図に示したしきい値周波数ｆｔｈに対応している。つまり、第１図に示した比較器５０においては、クロック信号Ｓｃの周波数（電圧Ｖ0）がしきい値周波数ｆｔｈ（しきい値電圧Ｖｔｈ）未満であるか否かを判定している。
【００２０】
実際には、グラフィックコントローラ１０、スイッチ部３０、周波数／電圧変換部４０および比較器５０は、コンピュータ装置に設けられている。なお、グラフィックコントローラ１０、スイッチ部３０、周波数／電圧変換部４０および比較器５０は、コンピュータ装置に接続される表示装置内に設けてもよい。
【００２１】
上記構成において、第４図に示した時刻ｔ０で電源投入されると、グラフィックコントローラ１０からは、画像信号ＳｇがＬＣＤ２０へ、クロック信号Ｓｃがスイッチ部３０および周波数／電圧変換部４０へそれぞれ供給される。この場合、クロック信号Ｓｃの周波数は、２０ＭＨｚ未満であり、不安定である。
【００２２】
周波数／電圧変換部４０は、第２図に示した変換特性に従って、クロック信号Ｓｃの周波数（２０ＭＨｚ未満）を電圧Ｖ０に変換し、比較器５０へ出力する。この場合、比較器５０は、電圧Ｖ０がしきい値電圧Ｖｔｈ未満であるため、スイッチ制御信号Ｓｓ（＝０）をスイッチ部３０へ出力する。
【００２３】
スイッチ部３０は、スイッチ制御信号Ｓｓが０であるため、クロック信号ＳｃをＬＣＤ２０へ供給しない。これにより、ＬＣＤ２０では、クロック信号Ｓｃが供給されないため、画像表示が行われず、従来のような画面乱れが生じない。
【００２４】
以後、第４図に示した時刻ｔ０から時刻ｔ１の直前までは、クロック信号Ｓｃの周波数がしきい値周波数ｆｔｈ未満であるとし、スイッチ部３０からＬＣＤ２０へクロック信号Ｓｃが供給されない。
【００２５】
そして、時刻ｔ１でクロック信号Ｓｃの周波数がしきい値周波数ｆｔｈ以上になると、周波数／電圧変換部４０から比較器５０へ出力される電圧Ｖ０がしきい値電圧Ｖｔｈ以上となる。
【００２６】
比較器５０は、電圧Ｖ０がしきい値電圧Ｖｔｈ以上であるため、スイッチ部３０へ出力しているスイッチ制御信号Ｓｓを０から１とする。これにより、スイッチ部３０は、しきい値周波数ｆｔｈ以上（定格）のクロック信号ＳｃをＬＣＤ２０へ供給する。以後、ＬＣＤ２０は、定格のクロック信号Ｓｃに基づいて、画像信号Ｓｇに対応する画像を表示する。
【００２７】
以上説明したように、一実施の形態によれば、クロック信号Ｓｃの周波数（所定のパラメータ）に対応する電圧Ｖ０と、しきい値周波数ｆｔｈに対応するしきい値電圧Ｖｔｈとを比較することにより、ＬＣＤ２０へ供給されるクロック信号Ｓｃの周波数の安定度（しきい値周波数ｆｔｈ未満：不安定状態、しきい値周波数ｆｔｈ以上：安定状態）を監視し、クロック信号Ｓｃが不安定状態にある場合、ＬＣＤ２０へのクロック信号Ｓｃの供給を停止させ、一方、クロック信号Ｓｃが安定状態にある場合、ＬＣＤ２０へのクロック信号Ｓｃの供給を行わせることとしたので、クロック信号Ｓｃの不安定に伴う画面乱れを防止することができる。
【００２８】
以上本発明にかかる一実施の形態について図面を参照して詳述してきたが、具体的な構成例はこの一実施の形態に限られるものではなく、本発明の要旨を逸脱しない範囲の設計
変更等があっても本発明に含まれる。
【００２９】
例えば、一実施の形態において、ＬＣＤ２０を表示装置の一例として説明したが、本発明は、他の表示装置（プラズマディスプレイ、ＣＲＴ等）にも適用可能である。
【００３０】
以上説明したように、本発明によれば、所定のパラメータとしきい値とを比較することにより、表示装置へ供給されるクロック信号の安定度を監視し、クロック信号が不安定状態にある場合、表示装置へのクロック信号の供給を停止させることとしたので、クロック信号の不安定に伴う画面乱れを防止することができるという効果を奏する。
【００３１】
また、本発明によれば、パラメータをクロック信号の周波数としたので、クロック信号における周波数の不安定に伴う画面乱れを防止することができるという効果を奏する。
【００３２】
また、本発明によれば、本発明によれば、クロック信号が不安定状態にある場合、表示装置へのクロック信号の供給を停止させ、一方、クロック信号が安定状態にある場合、表示装置へのクロック信号の供給を行わせることとしたので、クロック信号の不安定に伴う画面乱れを防止することができるという効果を奏する。
【００３３】
また、本発明によれば、装置電源の投入時におけるクロック信号の安定度を監視することとしたので、電源投入時に生じるクロック信号の不安定に伴う画面乱れを防止することができるという効果を奏する。
【００３４】
また、本発明によれば、クロック信号の不安定に伴う、液晶表示装置における画面乱れを防止することができるという効果を奏する。
【産業上の利用可能性】
【００３５】
以上のように、本発明にかかる表示制御装置および表示制御方法は、ＬＣＤの表示制御に対して有用である。
【図面の簡単な説明】
【００３６】
【図１】第１図は、本発明にかかる一実施の形態の構成を示すブロック図である。
【図２】第２図は、第１図に示した周波数／電圧変換部４０の変換特性を示す図である。
【図３】従来の液晶表示制御装置の構成を示すブロック図である。
【図４】クロック信号Ｓｃの周波数変化を示す図である。
【図１】
0004607763.tif 000002
【図２】
0004607763.tif 000003
【図３】
0004607763.tif 000004
【図４】
0004607763.tif 000005